(57)【要約】【構成】  本発明は、特に尿素水溶液用の液体貯蔵器であって、その取り付け位置で液体貯蔵器の底部に配設されたバッファー貯蔵手段と、液体供給ユニットと、前記バッファー貯蔵手段の外側の取り付け位置で底部に配設され、それぞれが液体ラインを介してそれぞれ前記液体供給ユニットに接続される、少なくとも１つ好ましくは複数の第１のフィルター部材とを有し、前記第１のフィルター部材は当該第１のフィルター部材のフィルター繊維部が液体貯蔵器内に位置する液体に浸透し且つ空気には浸透しない構造とされ、さらに前記バッファー貯蔵手段の内部と前記液体供給ユニットの間に配設される第２のフィルター部材を有し、前記第２のフィルター部材は当該第２のフィルター部材のフィルター繊維部が液体貯蔵器内に位置する液体に浸透し且つ空気には浸透しない構造とされ、空気がフィルター部材に供給される前記第２のフィルター部材のブレイクスルー圧力は、前記第１のフィルター部材のブレイクスルー圧力よりも大きいものとされ、前記液体供給ユニットと前記第１のフィルター部材の間に第１の弁を有し、前記第１の弁の開放圧は前記第２のフィルター部材のブレイクスルー圧力よりも小さくされることを特徴とする液体貯蔵器。【選択図】  図１
2013542371.tif 000002
【特許請求の範囲】
【請求項１】
特に尿素水溶液用の液体貯蔵器であって、
その取り付け位置で液体貯蔵器の底部に配設されたバッファー貯蔵手段と、
液体供給ユニットと、
前記バッファー貯蔵手段の外側の取り付け位置で底部に配設され、それぞれが液体ラインを介してそれぞれ前記液体供給ユニットに接続される、少なくとも１つ好ましくは複数の第１のフィルター部材とを有し、
前記第１のフィルター部材は当該第１のフィルター部材のフィルター繊維部が液体貯蔵器内に位置する液体に浸透し且つ空気には浸透しない構造とされ、
さらに前記バッファー貯蔵手段の内部と前記液体供給ユニットの間に配設される第２のフィルター部材を有し、前記第２のフィルター部材は当該第２のフィルター部材のフィルター繊維部が液体貯蔵器内に位置する液体に浸透し且つ空気には浸透しない構造とされ、
空気がフィルター部材に供給される前記第２のフィルター部材のブレイクスルー圧力は、前記第１のフィルター部材のブレイクスルー圧力よりも大きいものとされ、
前記液体供給ユニットと前記第１のフィルター部材の間に第１の弁を有し、前記第１の弁の開放圧は前記第２のフィルター部材のブレイクスルー圧力よりも小さくされることを特徴とする液体貯蔵器。
【請求項２】
請求項１記載の液体貯蔵器であって、前記第２のフィルター部材は、搬送方向で一方が他方の背後となるように配設された少なくとも２つのフィルター繊維部を有し、それにより前記第２のフィルター部材のブレイクスルー圧力が上昇することを特徴とする液体貯蔵器。
【請求項３】
請求項２記載の液体貯蔵器であって、前記第２のフィルター部材の少なくとも２つのフィルター繊維部は、前記第１のフィルター部材のフィルター繊維部に、ブレイクスルー圧力及び／又は用いられる材料について対応したものとされることを特徴とする液体貯蔵器。
【請求項４】
請求項１乃至３のいずれかに記載の液体貯蔵器であって、前記第１フィルター部材のそれぞれは液体ラインを介して回収箇所に接続され、該回収箇所は液体回収ラインを介して前記液体供給ユニットに接続されることを特徴とする液体貯蔵器。
【請求項５】
請求項４記載の液体貯蔵器であって、前記回収箇所は前記取り付け位置で、前記第１のフィルター部材と前記液体供給ユニットとの間の液体接続での最上箇所であることを特徴とする液体貯蔵器。
【請求項６】
請求項４又は５のいずれかに記載の液体貯蔵器であって、前記第１の弁は前記液体回収ラインに配設されることを特徴とする液体貯蔵器。
【請求項７】
請求項１乃至請求項６のいずれか１つに記載の液体貯蔵器であって、前記バッファー貯蔵手段は、当該バッファー貯蔵手段内に位置する液体を溶かし若しくは加熱するための加熱部材を有し、或いはスワールポットの形式をとることを特徴とする液体貯蔵器。
【請求項８】
請求項１乃至請求項７のいずれか１つに記載の液体貯蔵器であって、さらに少なくとも１つの前記取り付け位置の底部に配設された第３のフィルター部材を有する、当該液体貯蔵器の外側に配設された第2の液体貯蔵器を有し、前記第２の液体貯蔵器は、少なくとも１つの第３のフィルター部材と液体接続ラインを介して前記液体供給ユニットに接続されることを特徴とする液体貯蔵器。
【請求項９】
請求項８記載の液体貯蔵器であって、さらに第２の弁を前記第２のフィルター部材と前記液体供給ユニットの間に、第３の弁を前記第３のフィルター部材と前記液体供給ユニットの間に有し、前記第２の弁の開放圧は前記第１の弁の開放圧よりも小さく、前記第３の弁の開放圧は前記第２の弁の開放圧よりも小さくされることを特徴とする液体貯蔵器。
【請求項１０】
請求項８又は請求項９に記載の液体貯蔵器であって、前記液体供給ユニットと当該液体貯蔵器の内部、好ましくは前記バッファー貯蔵手段の間に第４の弁を有することを特徴とする液体貯蔵器。
【請求項１１】
請求項８乃至請求項１０のいずれか１つに記載の液体貯蔵器であって、さらに前記第２の液体貯蔵器内に第２の回収箇所を有し、該第２の回収箇所は前記取り付け位置で好ましくは前記第２の液体貯蔵器内の液体ラインの最上箇所とされることを特徴とする液体貯蔵器。
【請求項１２】
請求項８乃至請求項１１のいずれか１つに記載の液体貯蔵器であって、前記第２の液体貯蔵器は前記第１の液体貯蔵器の上または下の取り付け位置に配設され、前記液体接続ラインは好ましくは前記液体供給ユニットを有していないことを特徴とする液体貯蔵器。
【請求項１３】
請求項１乃至請求項１２のいずれか１つに記載の液体貯蔵器であって、前記第２のフィルター部材は前記取り付け位置で前記バッファー貯蔵手段の底部の配設されることを特徴とする液体貯蔵器。
【請求項１４】
特に尿素水溶液用の液体貯蔵器であって、
液体供給ユニットと、
取り付け位置で当該液体貯蔵器の底部に配設される少なくとも２つの第１のフィルター部材とを有し、
前記第１のフィルター部材のそれぞれは、液体ラインを介して回収箇所に接続され、該回収箇所は液体供給ユニットに液体回収ラインを介して接続されており、
前記回収箇所は、前記取り付け位置で前記第１のフィルター部材と前記液体供給ユニットとの間の液体接続での最上箇所であることを特徴とする液体貯蔵器。
【請求項１５】
請求項１４記載の液体貯蔵器であって、さらに少なくとも１つの前記取り付け位置の底部に配設された第３のフィルター部材を有する、当該液体貯蔵器の外側に配設された第2の液体貯蔵器を有し、前記第２の液体貯蔵器は、少なくとも１つの第３のフィルター部材と液体接続ラインを介して前記液体供給ユニットに接続されることを特徴とする液体貯蔵器。
【請求項１６】
請求項１５記載の液体貯蔵器であって、さらに第１の弁を前記第１のフィルター部材と前記液体供給ユニットの間に、第３の弁を前記第３のフィルター部材と前記液体供給ユニットの間に有し、前記第３の弁の開放圧は前記第１の弁の開放圧よりも小さくされることを特徴とする液体貯蔵器。
【請求項１７】
請求項１５又は請求項１６に記載の液体貯蔵器であって、前記液体供給ユニットと当該液体貯蔵器の内部、好ましくは前記バッファー貯蔵手段の間に第４の弁を有することを特徴とする液体貯蔵器。
【請求項１８】
請求項１５乃至請求項１７のいずれか１つに記載の液体貯蔵器であって、さらに前記第２の液体貯蔵器内に第２の回収箇所を有し、該第２の回収箇所は前記取り付け位置で好ましくは前記第２の液体貯蔵器内の液体ラインの最上箇所とされることを特徴とする液体貯蔵器。
【請求項１９】
請求項１５乃至請求項１８のいずれか１つに記載の液体貯蔵器であって、前記第２の液体貯蔵器は前記第１の液体貯蔵器の上または下の取り付け位置に配設され、前記液体接続ラインは好ましくは前記液体供給ユニットを有していないことを特徴とする液体貯蔵器。
【請求項２０】
請求項１乃至請求項１９のいずれか１つに記載の液体貯蔵器であって、前記第１のフィルター部材及び／又は前記第３のフィルター部材は、前記取り付け位置で液体貯蔵器及び第２の液体貯蔵器のそれぞれ最下箇所に配設されることを特徴とする液体貯蔵器。
【請求項２１】
請求項１乃至請求項２０のいずれか１つに記載の液体貯蔵器であって、前記第１のフィルター部材のブレイクスルー圧力及び／又は前記第３のフィルター部材のブレイクスルー圧力は同じ大きさであることを特徴とする液体貯蔵器。
【請求項２２】
請求項１乃至請求項２１のいずれか１つに記載の液体貯蔵器であって、前記液体貯蔵器はブロー成形または射出成形で製造されることを特徴とする液体貯蔵器。
【発明の詳細な説明】
【技術分野】
【０００１】
本発明は特に尿素水溶液用の液体貯蔵器に関する。
【背景技術】
【０００２】
車両工学においては、ディーゼル車両からの窒素酸化物の排出を減らすためのSCR（Selective Catalytic Reduction：選択触媒還元）法の使用が増大している。このSCR作用のために必要なアンモニアは直接使用されるものではなく、ドイツ工業規格（DIN）70070による32.5%の尿素水溶液の形式で使用される。この尿素水溶液は、例えば、定量ポンプ若しくは射出器により、排気ガスライン内でSCR触媒コンバーターによって射出される。尿素水溶液は、加水分解を経てアンモニアと二酸化炭素を生ずる。結果物としてのアンモニアは、排気ガス中の窒素酸化物と反応することができ、よって窒素酸化物の排出を減らすことになる。射出される尿素の量は、エンジンからの窒素酸化物の排出に依存し、よってエンジンの瞬間の回転数やトルクに依存する。SCR触媒コンバーターの効率は、ここではエンジンの窒素酸化物の排出に対する正しい比率で射出される尿素水溶液に依存する。もし射出される尿素水溶液が少量すぎれば、窒素酸化物が低減される効率が落ちてしまう。もし射出される尿素水溶液が多すぎれば、そこから生成されるアンモニアが窒素酸化物と反応せずに外部に排出してしまう。よって尿素水溶液用の液体貯蔵器からSCR触媒コンバーターへの尿素水溶液の最大に正確な供給、好ましくはミリリットルの範囲での供給が必要とされる。
【発明の概要】
【発明が解決しようとする課題】
【０００３】
欧州特許公開公報 1 510 392 (A2)は、燃料を供給するための燃料供給ユニットを備えた自動車用燃料タンクを開示する。その燃料供給油ユニットは、燃料タンクの底部に配設されたフィルター部材を有し、フィルター部材は、予め決められた網目サイズを有するポーチ状のフィルター繊維部を有する。ポーチ状のフィルター繊維部は、燃料タンクの意図された設置位置の底部の複数の低い載置領域に配設され、濡れたフィルター繊維部は燃料を透過するが、空気を透過しない。欧州特許公開公報 1 510 392 (A2)の好適な実施形態によれば、フィルター繊維部は燃料タンクの底部の全域を実質的に越えて延在される。代替的な実施形態においては、複数の個々のフィルター繊維部は、燃料タンクの底部の意図した領域に分配されて配設される。しかしながら、供給の当初に、燃料タンクの底部の全域を越えて延在するフィルター繊維部や燃料ポンプへの液体ラインには空気が存在しており、その空気は燃料が供給される前に最初に除去しなければならない。燃料タンクの底部に分配されて配設されている複数のフィルター繊維部の場合には、引き続いて燃料の供給を均一にするために全ての液体ラインから均一に空気を除かなければならないという問題が生じる。
【０００４】
ドイツ特許公開  DE 196 19 992(A1)は、燃料タンクと、粗フィルター、及び微細フィルターを有する燃料供給モジュールを開示し、該燃料供給モジュールでは、上流の粗い燃料フィルターを備えた燃料ポンプは、燃料タンクの底部に配設された燃料ポンプ貯蔵器によって囲まれている。燃料ポンプ貯蔵器の壁は、少なくともその場所で２重壁の構造を有する。微細な燃料フィルターは壁の完全に閉ざされた内部空間内に配設される。一方、ここの内部空間は、微細フィルターの流入領域内で燃料ポンプ圧力ポートに接続された流入ポートを有しており、他方、微細フィルターの出力領域内で流出ポートを有する。
【課題を解決するための手段】
【０００５】
よって、本発明の目的は、液体の供給量の正確さに関して、液体貯蔵器から下流側消費部、例えばSCR触媒コンバーターへの液体の供給を改善させることにある。
【０００６】
前記目的は、特に尿素水溶液用の液体貯蔵器であって、その取り付け位置で液体貯蔵器の底部に配設されたバッファー貯蔵手段と、液体供給ユニットと、前記バッファー貯蔵手段の外側の取り付け位置で底部に配設され、それぞれが液体ラインを介してそれぞれ前記液体供給ユニットに接続される、少なくとも１つ好ましくは複数の第１のフィルター部材とを有し、前記第１のフィルター部材は当該第１のフィルター部材のフィルター繊維部が液体貯蔵器内に位置する液体に浸透し且つ空気には浸透しない構造とされ、さらに前記バッファー貯蔵手段の内部と前記液体供給ユニットの間に配設される第２のフィルター部材を有し、前記第２のフィルター部材は当該第２のフィルター部材のフィルター繊維部が液体貯蔵器内に位置する液体に浸透し且つ空気には浸透しない構造とされ空気がフィルター部材に供給される前記第２のフィルター部材のブレイクスルー圧力は、前記第１のフィルター部材のブレイクスルー圧力よりも大きいものとされ、前記液体供給ユニットと前記第１のフィルター部材の間に第１の弁を有し、前記第１の弁の開放圧は前記第２のフィルター部材のブレイクスルー圧力よりも小さくされることを特徴とする液体貯蔵器により達成される。
【０００７】
本発明の目的においては、弁の開放圧は、閉じた状態から開いた状態に弁が変化する圧力とされる。
【０００８】
第１の弁の開放圧は、流れ方向で直列して接続されるため、第１のフィルター部材のブレイクスルー圧力に影響される。第２のフィルター部材のブレイクスルー圧力よりも小さくされる第１の弁の開放圧については、第１のフィルター部材と第１の弁の全体の直列接続が開放圧を示し、該開放圧は第２のフィルター部材のブレイクスルー圧力よりも小さくされることを意味するとすべきである。
【０００９】
前記第１の弁は、液体がバッファー貯蔵手段から液体供給ユニットを介して消費部材まで供給されることを確かなものとさせる。もしバッファー貯蔵手段が完全に空にされたら、空気が第２のフィルター部材を介して吸引される前に、ブレイクスルー圧力まで前記バッファー貯蔵手段内の第２のフィルター部材が阻止する。第２のフィルター部材のブレイクスルー圧力に到達する前に、第１の弁は開放され、次いで液体は第１のフィルター部材を介して供給され、液体貯蔵器の底部の第１のフィルター部材の場所は、当該液体貯蔵器から残りを仮想的に完全に空にすることを確かなものとする。本発明の液体貯蔵器は液体が最初にバッファー貯蔵手段から引かれるという利点を有しており、これは液体ラインをとても短くできるという意味を持つ。
【００１０】
液体供給ユニットは好ましくは前記バッファー貯蔵手段内に配設される。
【００１１】
本発明の１つの変形例によれば、第２のフィルター部材は搬送方向で一方が他方の背後となるように配設された少なくとも２つのフィルター繊維部を有し、それにより前記第２のフィルター部材のブレイクスルー圧力が上昇する。前記第２のフィルター部材のブレイクスルー圧力は、第２のフィルター部材内で一方が他方の背後となるように配設されたフィルター繊維部の数によって簡単な方法で調整される。ブレイクスルー圧力は、第２のフィルター部材のフィルター繊維部の網目サイズに依存し、フィルター繊維部は特別な予定した範囲の網目サイズで生産されるのみであるから、ブレイクスルー圧力を上昇させる１つの選択枝は、複数のフィルター部材をカスケードに並べる方法である。
【００１２】
本発明の１つの好ましい変形例によれば、前記第２のフィルター部材の少なくとも２つのフィルター繊維部は、前記第１のフィルター部材のフィルター繊維部に対応したものとされる。この方法では、ただ１つの種類のフィルター繊維部が本発明に従う液体貯蔵器内で使用され、それにより、フィルター繊維部が大量に製造され若しくは購入されるため、製造費用が低減される。
【００１３】
本発明のさらなる変形例によれば、第１のフィルター部材はそれぞれの場合に液体ラインを介して回収箇所に接続され、回収箇所は液体回収ラインを介して液体供給ユニットに接続される。液体回収ラインは第１のフィルター部材と液体供給ユニットの間のラインシステム内の空気を低減し。よって本発明による液体貯蔵器の下流消費部材への液体供給の正確度は顕著に高くなる。
【００１４】
本発明の好適な変形例に従えば、前記回収箇所は前記取り付け位置で、前記第１のフィルター部材と前記液体供給ユニットとの間の液体接続での最上箇所である。回収箇所の組み合わせと、取り付け位置における、第１のフィルター部材と液体供給ユニットの間の液体接続での最上箇所となる回収箇所の構造とにより、液体供給ユニットを介して第１のフィルター部材から液体が供給されると直ぐに、確かに回収箇所と他の第１のフィルター部材の間の液体ラインでの圧力降下が生ずることはなく、その結果、第１のフィルター部材と回収箇所の間の対応するラインは、空気で充填され得る。液体供給ユニットは便利にも回収箇所の下部の取り付け位置で配設される。
【００１５】
本発明の好適な変形例では、第１の弁は液体回収ラインに配設される。このため、別個の第１の弁は、各第１のフィルター部材に配する必要はなく、代わりに全部の第１のフィルター部材に単一の第１の弁があれば良い。
【００１６】
本発明の更なる変形例では、バッファー貯蔵手段は当該バッファー貯蔵手段内に位置する液体を溶かし若しくは加熱するための加熱部材を有する。さらに追加的或いは代替的に、バッファー貯蔵手段はスワールポットの形式を採るものであっても良い。加熱部材は、十分な液体がどの箇所にも間に合って供給されるようにすることを確かなものとさせる。特に、尿素水溶液の場合では、自動車の作動範囲では、該尿素水溶液の凝固点はおよそ摂氏−１１度であることから、加熱部材は利点を有する。スワールポットは、液体貯蔵器内の液体のスロッシングが少なくとも部分的には抑制されるという利点を有し、液体供給装置には液体がより良く供給されることを確かなものとする。
【００１７】
さらなる変形例では、本発明の液体貯蔵器は、さらに前記取り付け位置の底部に配設された少なくとも１つの第３のフィルター部材を有する、当該液体貯蔵器の外側に配設された第2の液体貯蔵器を有し、該第２の液体貯蔵器は、少なくとも１つの第３のフィルター部材と液体接続ラインを介して前記液体供給ユニットに接続される、このような発展形は、本発明の液体貯蔵器を、液体貯蔵器が設置されるべき空間の条件に適合させるように働く。例えば、できる限り得られる空間は車両の内部に用いられるようにされることから、自動車内の空間条件は制限される。よって液体貯蔵器を多部品構造とすることや、個々の液体貯蔵器を自動車内の種々の場所に配することは利点がある。そのような発展形のさらなる利点は、第１の液体貯蔵器と第２の液体貯蔵器の間の液体接続ラインは、第２の液体貯蔵器の位置に拘わらず、液体供給ユニットを必要としないところにある。よって、第２の液体貯蔵器は、例えば、第１の液体貯蔵器の上または下の取り付け位置に追加の必要な液体供給ユニットを有せずに配設される。
【００１８】
本発明の好適な変形例によれば、液体貯蔵器は、第２の弁を第２のフィルター部材と液体供給ユニットの間に、第３の弁を第３のフィルター部材と液体供給ユニットの間に有し、第２の弁の開放圧は第１の弁の開放圧よりも小さく、第３の弁の開放圧は第２の弁の開放圧よりも小さくされる。このような発展形では、第１に液体は第２の液体貯蔵器より供給され、次いで第１の貯蔵器のバッファー貯蔵手段より供給され、続いて第１の液体貯蔵器に位置する残りの液体は第１のフィルター部材を介して供給されることを確かなものとさせる。
【００１９】
特に好ましい変形例では、液体貯蔵器は、液体の液体供給ユニットから液体貯蔵器、特には加熱部材を有する液体貯蔵器への逆流を可能とするために、前記液体供給ユニットと当該液体貯蔵器の内部に第４の弁を有する。１つの有利な変形例では、第４の弁は液体供給ユニットとバッファー貯蔵手段の間に配設される。液体供給ユニットと消費部材の間のラインに逆流が生じたとき、液体は既に加熱された液体貯蔵部に戻され、液体が再凝固することが確かに防止される。第４の弁は、液体貯蔵器から液体供給ユニットへの液体の供給を防止するため、便宜的にワンウエイバルブの形式、例えば、逆止弁の形式を採る。
【００２０】
本発明の有利な変形例では、第２の液体貯蔵器は、第２の回収箇所を有し、該第２の回収箇所は、好ましくは取り付け位置で、第２の液体貯蔵器内の液体ラインでの最上箇所とされる。
【００２１】
本発明の更なる変形例によれば、第２のフィルター部材は、バッファー貯蔵手段の底部で取り付け位置に配設される。よって、液体が第１のフィルター部材を介して供給される前にバッファー貯蔵手段が仮想的に完全に空にされることを確実にさせる。
【００２２】
また、前記目的は、特に尿素水溶液用の液体貯蔵器であって、液体供給ユニットと、取り付け位置で当該液体貯蔵器の底部に配設される少なくとも２つの第１のフィルター部材とを有し、前記第１のフィルター部材のそれぞれは、液体ラインを介して回収箇所に接続され、該回収箇所は液体供給ユニットに液体回収ラインを介して接続されており、前記回収箇所は、前記取り付け位置で前記第１のフィルター部材と前記液体供給ユニットとの間の液体接続での最上箇所であることを特徴とする液体貯蔵器によって達成される。
【００２３】
このような発展形では、液体供給ユニットの第１のフィルター部材を介して液体が供給されて直ぐに、他の第１のフィルター部材と回収箇所の間の圧力条件は変わることがなくこと確実なものとし、対応する第１のフィルター部材と回収箇所の間で特に液面が降下しないことを確かなものとする。これは、さらなる液体が１つの第１のフィルター部材から供給できないときは直ぐに、他の第１のフィルター部材と回収箇所の間の液体ラインは少なくとも部分的に、好ましくは完全に、液体で充填されるという利点を有する。
【００２４】
本発明の１つの変形例では、液体貯蔵器は、さらに取り付け位置の底部に配設された少なくとも１つのフィルター部材を有する、当該液体貯蔵器の外側に配設された第2の液体貯蔵器を有し、前記第２の液体貯蔵器は、少なくとも１つの第３のフィルター部材と液体接続ラインを介して前記液体供給ユニットに接続される。このような本発明の液体貯蔵器の多部品の発展形は、取り付け位置、例えば自動車内で、空間的な条件へのより良い適合を許容する。このような発展形の更なる利点は、第２の液体貯蔵器の位置に拘わらず、第１の貯蔵器と第２の貯蔵器の間に液体供給ユニットは必要ないことである。第２の液体貯蔵器は、追加の液体供給ユニットを要せずに、例えば。第１の貯蔵器の下部又は上部の取り付け位置に配設される。
【００２５】
本発明の１つの特に好適な変形例では、液体貯蔵器は、第１の弁を第１のフィルター部材と液体供給ユニットの間に、第３の弁を第３のフィルター部材と液体供給ユニットの間に有し、第３の弁の開放圧は第１の弁の開放圧よりも小さくされる。第１のフィルター部材を介して液体貯蔵器から液体が供給される前に、液体供給ユニットを介して第２の液体貯蔵器から最初に液体が供給されることを確かなものとする。
【００２６】
本発明の１つの有利な変形例では、液体供給ユニットから第２の液体貯蔵器への液体の逆流を防止するために、液体接続ラインは逆止弁を有する。これは液体供給ユニットと消費部材の間のラインから液体の逆流があるときに特に利点がる。
【００２７】
本発明のさらなる有利な変形例では、第２の液体貯蔵器は第２の回収箇所を有し、該第２の回収箇所は取り付け位置で好ましくは第２の液体貯蔵器内の液体ラインの最上箇所とされる。よって第２の液体貯蔵器内の第３のフィルター部材は、上昇するラインを介して第２の液体貯蔵器内の回収箇所に接続され、該第２の回収箇所は液体接続ラインを介して液体供給ユニットに接続される。このような発展形の利点は、第１の液体貯蔵器内の回収箇所の利点と対応したものとされる。
【００２８】
取り付け位置では、第１のフィルター部材及び／又は第３のフィルター部材は、液体貯蔵器及び第２の液体貯蔵器のそれぞれ最下箇所に配設される。結果として、完全に液体貯蔵器を空にすることができる。
【００２９】
本発明の好ましい変形例では、第１のフィルター部材のブレイクスルー圧力及び／又は第３のフィルター部材のブレイクスルー圧力は同じ大きさである。本発明によれば、それぞれ第１のフィルター部材と第３のフィルター部材の間では選択が生じないものとされる。
【００３０】
液体貯蔵器は、有利にはブロー成形または射出成形で製造される。これは製造コストを低減すると同時に長い耐用期間を確保する。
【００３１】
本発明の更なる有利な変形例によれば、第１の弁、第２の弁、第３の弁、及び／又は第４の弁はワンウエイバルブ、例えば逆止弁の形式を有する。
【００３２】
本発明は以下に図示される例示的な実施形態を参照しながら更に詳細に説明される。
【図面の簡単な説明】
【００３３】
【図１】本発明の第１の実施形態の断面図である。
【図２】本発明の第２の実施形態の断面図である。
【図３】本発明の第３の実施形態の断面図である。
【図４】本発明の更なる実施形態の断面図である。
【発明を実施するための形態】
【００３４】
図１は特に尿素水溶液用の本発明に従う液体貯蔵器１の断面図である。ここで液体貯蔵器１はその取り付け位置で当該液体貯蔵器１の底部に配設されたバッファー貯蔵手段２と、該バッファー貯蔵手段２の内部に配設された液体供給ユニット３と、前記バッファー貯蔵手段２の外側で取り付け位置の底部に配設された２つの第１のフィルター部材４とを有し、該第１のフィルター部材４のそれぞれは液体ライン５を介して前記液体供給ユニット３に接続されている。第１のフィルター部材４は、当該第１のフィルター部材４のフィルター繊維部が液体貯蔵器１内に位置する液体は浸透可能とさせるが、空気には浸透できないように構成されている。第２のフィルター部材６は更にバッファー貯蔵手段２の内部と液体供給ユニット３の間に配設され、第２のフィルター部材は当該第２のフィルター部材６のフィルター繊維部が液体貯蔵器内に位置する液体は浸透可能とさせるが、空気には浸透できないように構成されている。空気がフィルター部材を介して供給される、第２のフィルター部材６のブレイクスルー圧力は、第１のフィルター部材４のブレイクスルー圧力よりも大きくされる。液体貯蔵器１は液体供給ユニット３と第１のフィルター部材４の間に第１の弁７を有し、第１の弁７の開放圧は第２のフィルター部材６のブレイクスルー圧力よりも小さい。
【００３５】
第１の弁７の開放圧は、第１のフィルター部材４が流れ方向で直列に接続されていることから、第１のフィルター部材４のブレイクスルー圧力に影響される。第２のフィルター部材６のブレイクスルー圧力よりも小さい第１の弁７の開放圧は、直列接続される第１のフィルター部材４と第１の弁７が全体として示す開放圧であって、第２のフィルター部材のブレイクスルー圧力よりも小さいことを意味するとすべきものである。
【００３６】
例えば、第２のフィルター部材６は１００mbarのブレイクスルー圧力を示し、第１のフィルター部材４は５０mbarのブレイクスルー圧力を示し、第１の弁は２５mbarの開放圧を示す。
【００３７】
このように設計された液体貯蔵器１は、液体供給ユニット３によって最初に液体がバッファー貯蔵手段２から供給されることを確かなものとする。続いて。バッファー貯蔵手段２が液体をそれ以上含んでいなくなると、第１の弁７が開放され、液体貯蔵器１が完全に空になるまで、液体が液体貯蔵器１の底部の種々の箇所から第１のフィルター部材４と液体ライン５を介して引かれることになる。
【００３８】
第２のフィルター部材６のブレイクスルー圧力に到達するため、第２のフィルター部材６は少なくとも２つのフィルター繊維部が搬送方向で一方が他方の背後となるように配設される。第２のフィルター部材６のこれら少なくとも２つのフィルター繊維部は好ましくは第１のフィルター部材４のフィルター繊維部に対応したものとされる。
【００３９】
バッファー貯蔵手段２は、バッファー貯蔵手段２の内部に位置する液体を加熱し若しくは一度凍結していたら解凍するための加熱部材８を有する。
【００４０】
バッファー貯蔵手段２は、さらに、液体貯蔵器の動作中の液体の動作を制限するため、例えば自動車に適合された時や、或いは第２のフィルター部材ができるだけ長く液体に囲まれて留まることを確かなものとするため、スワールポット (swirl pot)としても構成される。
【００４１】
第２のフィルター部材６は、バッファー貯蔵手段からの残りを最大限に完全に空にすることを確かなものとするために、さらに取り付け位置でバッファー貯蔵手段の底部に配設される。
【００４２】
第１のフィルター部材４は、その取り付け位置で、液体貯蔵部１の最下箇所に対応して配設される。
【００４３】
例示の実施形態では、２つの第１のフィルター部材４の間の選択がなされないように、複数の第１のフィルター部材４のブレイクスルー圧力は、同一の大きさとされる。
【００４４】
図１に示す液体貯蔵器は、例えばブロー成形若しくは射出成形により生成され、自動車内での尿素水溶液を輸送するのにも用いられる。尿素水溶液はSCR触媒コンバーターに供給される。
【００４５】
図２に示す尿素水溶液用の液体貯蔵器１は、取り付け位置で当該液体貯蔵器１の底部に配設されたバッファー貯蔵手段２と、液体供給ユニット３と、該バッファー貯蔵手段２の外側で取り付け位置の底部に配設された少なくとも２つの第１のフィルター部材４とを有し、前記第１のフィルター部材４のそれぞれは液体ライン５を介して液体供給ユニット３に接続され、第１のフィルター部材４は当該第１のフィルター部材４のフィルター繊維部が液体貯蔵器１内に位置する液体は浸透可能とさせるが、空気には浸透できないように構成されている。バッファー貯蔵手段２の内部と液体供給ユニット３の間には第２のフィルター部材６が配設され、第２のフィルター部材は当該第２のフィルター部材６のフィルター繊維部が液体貯蔵器内に位置する液体は浸透可能とさせるが、空気には浸透できないように構成されている。第２のフィルター部材６の、空気がフィルター部材を介して供給されるブレイクスルー圧力は、第１のフィルター部材４のブレイクスルー圧力よりも大きくされる。液体供給ユニット３と第１のフィルター部材４の間には第１の弁７が配設され、第１の弁７の開放圧は第２のフィルター部材６のブレイクスルー圧力よりも小さい。
【００４６】
第１のフィルター部材４はそれぞれ液体ライン５を介して回収箇所９に接続されており、回収箇所９は液体回収ライン１０を介して液体供給ユニット３に接続される。取り付け位置においては、回収箇所９は第１のフィルター部材４と液体供給ユニット３の間の液体接続での最上箇所に配される。このような構成は、液体が第１のフィルター部材４と連絡する液体ライン５を介して供給されると直ぐに、他の液体ライン５の液面が落ちることはなく、液体が続いてより素早くこれら液体ライン５を介して供給され得るという利点を有する。
【００４７】
更に図２に示されるように、第１の弁７は液体回収ライン１０に配設される。
【００４８】
図３は、図２に従った液体貯蔵器１を示し、それは更に、該液体貯蔵器１の外側に、取り付け位置の底部に配設された少なくとも１つの第３のフィルター部材１２を有した第２の液体貯蔵器１１を有する。第２の液体貯蔵器１１は、少なくとも１つの第３のフィルター部材１２と液体接続ライン１３を介して液体供給ユニット３に接続される。
【００４９】
液体貯蔵器１は、例えば液体供給ユニット３のような能動部材を備えているため、ここでは能動の貯蔵器として描かれており、第２の液体貯蔵器１１は、能動部材を有していないため、受動の貯蔵器として描かれている。
【００５０】
液体貯蔵器１、１１の２つの部分の発展形は幾つかの利点を有する。一方、収容器はより小さな構造で良く、このため取り付け位置にある空間により良く適合する。他方、比較的に低い温度でも十分な液体を供給することが可能なため、加熱部材８を２つの貯蔵器のうちの１つに設けることで十分である。より小さな貯蔵器１、１１内の液体は大きな収容器内よりもより素早く解凍され得る。
【００５１】
更に図３より、第２の液体貯蔵器１１に接続される液体貯蔵器１は、第２のフィルター部材６と液体供給ユニット３の間に第２の弁１４を有し、第３のフィルター部材１２と液体供給ユニット３の間に第３の弁１５を有し、第２の弁１４の開放圧は第２の弁７の開放圧よりも小さくされ、第３の弁の開放圧は第２の弁７の開放圧よりも小さくされる。このような発展形は、先ず、第２の液体貯蔵器からの液体は該第２の液体貯蔵器が空になるまで若しくは凍るまで消費されることを確かなものとする。次にバッファー貯蔵手段２からの液体は同様にバッファー貯蔵手段２が空になるまで消費され、最後に液体貯蔵器１からの残りの液体は、第１のフィルター部材４と液体接続５を介して消費される。
【００５２】
図３に示した実施形態は、知られた従来技術に対して、能動貯蔵器と受動貯蔵器の間で追加の液体供給ユニットが不要であるという利点がある。
【００５３】
好適な変形例では、液体貯蔵器１１は、例えば液体供給ユニット３と消費部材の間の液体ラインの洗浄の間に、液体が液体供給ユニット３からバッファー貯蔵手段２に逆流することを許容するために、液体供給ユニット３とバッファー貯蔵手段２の内側の間に第４の弁１９を有する。第４の弁１９は逆止弁で具現されるワンウエイバルブの形式を採る。これは、加熱部材８によって加熱されたバッファー貯蔵手段２内の液体が押し返され、液体が再凍結することを防止したり遅らせたりするという利点を有する。第４の弁１９は第２の弁１４と１つの部品として構成できる。液体供給ユニット３と消費部材の間のラインは、液体のラインを空にし、消費部材へのライン内で液体が凍結することを防止するために、消費部材が停止してから押し戻される。
【００５４】
図３に示す液体貯蔵器１のように、第２の液体貯蔵器１１は複数の第３のフィルター部材１２を有していても良く、該第３のフィルター部材１２は第２の回収箇所１６に液体ライン５を介して接続される。第２の回収箇所１６は、図３の点線で示されるように、液体接続ライン１３を介して液体供給ユニット３に接続される。
【００５５】
図４は特に尿素水溶液用の液体貯蔵器１を示し、該貯蔵器は、液体貯蔵器３と、取り付け位置で液体貯蔵器１の底部に配設された４つのフィルター部材４とを有し、第１のフィルター部材４のそれぞれは液体ライン５を介して回収箇所９に接続され、回収箇所９は液体回収ライン１０を介して液体供給ユニット３に接続される。取り付け位置で、回収箇所９は、第１のフィルター部材４と液体供給ユニット３の間の液体接続での最上箇所である。
【００５６】
このような発展形は、液体供給ユニット３が第１のフィルター部材４、連携する液体ライン５、及び液体回収ライン１０を介して液体を供給すると直ぐに、
他の液体ライン５から他の第１のフィルター部材４への液面は圧力降下のお陰で降下することはなく、代わりに変わらない面で残ることになる。初めに液体を供給していた第１のフィルター部材を介して液体がそれ以上供給されない場合には、その他の液体ライン５からその他の第１のフィルター部材４は、少なくとも部分的に、好ましくは完全に、液体が充填され、比較的大量の空気を供給することなく液体は消費部材に供給される。
【００５７】
図３に示すように、図４からの液体貯蔵器１は更には液体貯蔵器１の外側に配され、取り付け位置の底部に配設される少なくとも１つの第３のフィルター部材１２を有する第２の液体貯蔵器１１を有し、該第２の液体貯蔵器１１は少なくとも１つの第３のフィルター部材１２と液体接続ライン１３を介して液体供給ユニット３に接続される。液体貯蔵器１と液体貯蔵器１１の間の選択を有効にするため、第１の弁７が第１のフィルター部材４と液体供給ユニット３の間に配され、第３の弁１５が第３のフィルター部材１２と液体供給ユニット３との間に配され、第３の弁１５の開放圧は第１の弁７の開放圧よりも小さくされる。
【００５８】
第４の弁１９は液体供給ユニット３とバッファー貯蔵手段２の内部の間に配設され、液体供給ユニット３と消費部材の間のラインから押し戻された液体は加熱されたバッファー貯蔵手段２に送られる。第４の弁４はまた液体の押し戻しが第２のフィルター部材６を介して送られるようにも配設される。
【００５９】
液体貯蔵器１からの残りを完全に空にすることを確かなものとするため、バッファー貯蔵手段２及び／又は第２の液体貯蔵器１１、第１のフィルター部材４、第２のフィルター部材６、及び第３のフィルター部材１２はそれぞれ該当する貯蔵器の底部に配設される。
【００６０】
応用の分野に応じて、図４に示すように、本発明の液体貯蔵器１は充填ポート１７及び／又は通気部材１８を有する。
【００６１】
図１乃至図４に従った例示的な実施形態において使用される第１の弁７、第２の弁１４、及び第３の弁１５の全ては、例えば逆止弁で具現されるワンウエイバルブの形式を採用する。
【符号の説明】
【００６２】
１  液体貯蔵器
２  バッファー貯蔵手段
３  液体供給ユニット
４  第１のフィルター部材
５  液体ライン
６  第２のフィルター部材
７  第１の弁
８  加熱部材
９  回収箇所
１０  液体回収ライン
１１  第２の液体貯蔵器
１２  第３のフィルター部材
１３  液体接続ライン
１４  第２の弁
１５  第３の弁
１６  第２の回収箇所
１７  充填ポート
１８  通気部材
１９  第４の弁
【図１】
2013542371.tif 000003
【図２】
2013542371.tif 000004
【図３】
2013542371.tif 000005
【図４】
2013542371.tif 000006
【国際調査報告】
2013542371.tif 000007
2013542371.tif 000008
2013542371.tif 000009
2013542371.tif 000010
2013542371.tif 000011